(57)【要約】【課題】ダムの貯水池、河川などの水底に土砂等の堆積を防止する。【解決手段】この方法では、河川内で土砂等を取り込もうとする土砂等取り込み地点Ｐ１に、特殊エジェクター２を設置し、特殊エジェクター２に動力水供給管３と排砂管４を接続しておき、河川内で土砂等を取り込もうとするときに、河川外の超高圧ポンプ設置位置Ｐ２に超高圧ポンプ１を設置して、駆動水供給管３と接続し、超高圧ポンプ１を作動することにより特殊エジェクター２を駆動して、この特殊エジェクター２で、河川内の土砂等を吸引し、排砂管４を通して土砂等の排出先Ｐ３へ排送する。【選択図】図４
2014148790.tif 000002
【特許請求の範囲】
【請求項１】
河川の水底に土砂等の堆積を防止するのに用いる河川内の土砂等堆積防止方法であって、
河川内で土砂等を取り込もうとする土砂等取り込み地点に、噴射口、吸引口、及び吐出口を有し、超高圧ポンプから送給される高圧の動力水により駆動され、土砂等を連続的に吸引、圧送する特殊エジェクターを設置し、前記特殊エジェクターの噴射口に動力水を供給するための動力水供給管を接続して、前記動力水供給管を河川外の超高圧ポンプ設置位置まで延ばすとともに、前記特殊エジェクターの吐出口に土砂等を排送するための排砂管を接続して、前記排砂管を土砂等の排出先まで延ばしておき、
河川内で土砂等を取り込もうとするときに、前記河川外の超高圧ポンプ設置位置に前記超高圧ポンプを設置し、前記駆動水供給管と接続して、前記超高圧ポンプを作動することにより前記特殊エジェクターを駆動し、前記特殊エジェクターの吸引口から土砂等を吸引して、前記排砂管を通して前記土砂等の排出先へ排送する、
ことを特徴とする河川内の土砂等堆積防止方法。
【請求項２】
土砂等取り込み地点に当該土砂等取り込み地点の大きさに応じて複数台の特殊エジェクターを動力水供給管及び排砂管とともに設置する請求項１に記載の河川内の土砂等堆積防止方法。
【請求項３】
水力発電所のダムに適用し、土砂等取り込み地点を、ダムの取水口側のダム底又は放水口側の河床又はその両方とする請求項１又は２に記載の河川内の土砂等堆積防止方法。
【請求項４】
特殊エジェクターの吸引口にホッパーを取り付けて、河川内に流れ込む土砂等を前記ホッパーにより前記特殊エジェクターの吸引口に吸引案内する請求項１乃至３のいずれかに記載の河川内の土砂等堆積防止方法。
【請求項５】
土砂等取り込み地点にピットを形成し、前記ピットに前記エジェクターを前記動力水供給管及び前記排砂管とともに設置する請求項１乃至４のいずれかに記載の河川内の土砂等堆積防止方法。
【請求項６】
ピットの縁部にスクリーンを設置して、前記ピット内に流木、巨礫などの異物が入り込むのを阻止する請求項５に記載の河川内の土砂等堆積防止方法。
【請求項７】
請求項１に記載の河川内の土砂等堆積防止方法に用いる土砂等排出システムであって、
高圧の動力水を送給する超高圧ポンプと、
噴射口、吸引口、及び吐出口を有し、前記超高圧ポンプから送給される動力水により駆動され、土砂等を吸引、圧送する特殊エジェクターと、
前記超高圧ポンプと前記特殊エジェクターの噴射口との間に接続され、前記超高圧ポンプから前記特殊エジェクターに動力水を供給するための動力水供給管と、
前記特殊エジェクターの吐出口に接続されて土砂等の排出先まで延ばされ、前記特殊エジェクターで吸引、圧送される土砂等を排送するための排砂管と、
を備え、
前記超高圧ポンプの作動により前記特殊エジェクターを駆動し、土砂等を前記特殊エジェクターの吸引口から吸引して、前記特殊エジェクターの吐出口、前記排砂管を通して排送する、
ことを特徴とする土砂等排出システム。
【請求項８】
特殊エジェクターの吸引口に土砂等を前記吸引口に吸引案内するためのホッパーを備える請求項７に記載の土砂等排出システム。
【請求項９】
１セットの超高圧ポンプと複数台の特殊エジェクターを構成単位とし、前記超高圧ポンプと前記各特殊エジェクターの噴射口との間にそれぞれ各別の動力水供給管が接続され、前記各特殊エジェクターの吐出口にそれぞれ土砂の排出方向と逆方向の流れを阻止する逆止弁を配設された共通の排砂管が連結される請求項７又は８に記載の土砂等排出システム。
【請求項１０】
１セットの超高圧ポンプと複数台の特殊エジェクターを構成単位とし、前記超高圧ポンプと前記各特殊エジェクターの噴射口との間にそれぞれ各別の動力水供給管が接続され、前記各特殊エジェクターの吐出口にそれぞれ各別の排砂管が接続される請求項７又は８に記載の土砂等排出システム。
【発明の詳細な説明】
【技術分野】
【０００１】
本発明は、ダムの貯水池、河川などの水底に土砂、礫等の堆積を防止するのに用いる河川内の土砂等堆積防止方法及びこれに用いる土砂等排出システムに関する。
【背景技術】
【０００２】
水力発電所のダムの堤には、水力発電に利用する水を取り込むための取水口と、水を河川に排出するための放水口が設けられている。洪水時には、この取水口、放水口に多くの土砂等が流れ込むため、設備保全のため、発電が止められ、その結果、取水口側のダム底と放水口側の河床に多くの土砂等が堆積される。洪水後はこの土砂等を除去するまで発電できないため、その影響は大きい。
現在、長年に亘る土砂等の堆積により、河床全体に土砂等が堆積されている状況の水力発電所が多い。このような発電所では、発電による放水によって放水口側の河床に形成されたポケットに土砂等が堆積するのを防止しているのが現状で、洪水時に発電を停止し放水を止めてしまうと、河床のポケットが土砂等で埋まり、その除去に多くの手間と時間を要し、大きな事業損失となる。
このようにダムの取水口側のダム底や放水口側の河床が土砂で埋まってしまう事例が全国の多くのダム貯水池で問題となっている。
【０００３】
従来、河川内に堆積した土砂等の除去は、河川内に浚渫船を浮かべ、バックホウやグラブによる浚渫、あるいはポンプによる浚渫によって行われる。なお、これらの浚渫工法はいずれも周知であり、バックホウ、グラブによる浚渫工法は例えば特許文献１などに開示され、ポンプによる浚渫工法は例えば特許文献２などに開示されている。
【先行技術文献】
【特許文献】
【０００４】
【特許文献１】特開２０００−  ６４３３８公報
【特許文献２】特開２００８−２２３４３３公報
【発明の概要】
【発明が解決しようとする課題】
【０００５】
しかしながら、ダムの取水口側のダム底や放水口側の河床などに洪水毎に堆積される土砂等を、その都度、バックホウやグラブによる浚渫、あるいはポンプによる浚渫で除去する方法では、工事が大掛かりとなり、コストが増大する、という問題がある。
また、水力発電所のダムは河川の上流から流れてくる土砂や礫を堰き止めているため、ダムから下流への土砂や礫の供給量が低下し、海岸線の減少などの問題が発生しており、かかる問題の対策としては、ダムで堰き止められた土砂や礫をダムの下流へ供給することが望ましい。
そこで、このようなダムで堰き止められた河川では、洪水時に、水力発電所などの施設の機能が影響を受けないように、また、上流から流れてくる土砂や礫が自然な状態で下流へ還元されるように、河川内に土砂等を堆積させないことが求められる。
【０００６】
本発明は、このような従来の課題を解決するものであり、ダムの貯水池、河川などの水底に土砂等の堆積を防止することのできる河川内の土砂等堆積防止方法及びこれに用いる土砂等排出システムを提供することを目的とする。
【課題を解決するための手段】
【０００７】
（１）上記目的を達成するために、本発明は、河川の水底に土砂等の堆積を防止するのに用いる河川内の土砂等堆積防止方法であって、河川内で土砂等を取り込もうとする土砂等取り込み地点に、噴射口、吸引口、及び吐出口を有し、超高圧ポンプから送給される高圧の動力水により駆動され、土砂等を連続的に吸引、圧送する特殊エジェクターを設置し、前記特殊エジェクターの噴射口に動力水を供給するための動力水供給管を接続して、前記動力水供給管を河川外の超高圧ポンプ設置位置まで延ばすとともに、前記特殊エジェクターの吐出口に土砂等を排送するための排砂管を接続して、前記排砂管を土砂等の排出先まで延ばしておき、河川内で土砂等を取り込もうとするときに、前記河川外の超高圧ポンプ設置位置に前記超高圧ポンプを設置し、前記駆動水供給管と接続して、前記超高圧ポンプを作動することにより前記特殊エジェクターを駆動し、前記特殊エジェクターの吸引口から土砂等を吸引して、前記排砂管を通して前記土砂等の排出先へ排送する、ことを要旨とする。
この方法は、土砂等取り込み地点に当該土砂等取り込み地点の大きさに応じて複数台の特殊エジェクターを動力水供給管及び排砂管とともに設置することが好ましい。
この方法は、例えば、水力発電所のダムに適用し、土砂等取り込み地点を、ダムの取水口側のダム底又は放水口側の河床又はその両方とすることが好ましい。
この方法では、特殊エジェクターの吸引口にホッパーを取り付けて、河川内に流れ込む土砂等を前記ホッパーにより前記特殊エジェクターの吸引口に吸引案内するようにすることが好ましい。
この方法では、土砂等取り込み地点にピットを形成し、前記ピットに前記エジェクターを前記動力水供給管及び前記排砂管とともに設置することが好ましい。この場合、ピットの縁部にスクリーンを設置して、前記ピット内に流木、巨礫などの異物が入り込むのを阻止することが好ましい。
（２）また、本発明は、上記河川内の土砂等堆積防止方法に用いる土砂等排出システムであって、高圧の動力水を送給する超高圧ポンプと、噴射口、吸引口、及び吐出口を有し、前記超高圧ポンプから送給される動力水により駆動され、土砂等を吸引、圧送する特殊エジェクターと、前記超高圧ポンプと前記特殊エジェクターの噴射口との間に接続され、前記超高圧ポンプから前記特殊エジェクターに動力水を供給するための動力水供給管と、前記特殊エジェクターの吐出口に接続されて土砂等の排出先まで延ばされ、前記特殊エジェクターで吸引、圧送される土砂等を排送するための排砂管と、を備え、前記超高圧ポンプの作動により前記特殊エジェクターを駆動し、土砂等を前記特殊エジェクターの吸引口から吸引して、前記特殊エジェクターの吐出口、前記排砂管を通して排送する、ことを要旨とする。
このシステムでは、特殊エジェクターの吸引口に土砂等を前記吸引口に吸引案内するためのホッパーを備えることが好ましい。
このシステムでは、１セットの超高圧ポンプと複数台の特殊エジェクターを構成単位とし、前記超高圧ポンプと前記各特殊エジェクターの噴射口との間にそれぞれ各別の動力水供給管が接続され、前記各特殊エジェクターの吐出口にそれぞれ土砂の排出方向と逆方向の流れを阻止する逆止弁を配設された共通の排砂管が連結されることが好ましい。
また、このシステムは、１セットの超高圧ポンプと複数台の特殊エジェクターを構成単位とし、前記超高圧ポンプと前記各特殊エジェクターの噴射口との間にそれぞれ各別の動力水供給管が接続され、前記各特殊エジェクターの吐出口にそれぞれ各別の排砂管が接続されるようにしてもよい。
【発明の効果】
【０００８】
（１）本発明の河川内の土砂等堆積防止方法によれば、ダムの貯水池、河川など河川内で土砂等を取り込もうとする土砂等取り込み地点に、特殊エジェクターを設置し、特殊エジェクターの噴射口に動力水供給管を接続するとともに、特殊エジェクターの吐出口に排砂管を接続して、河川内で土砂等を取り込もうとするときに、河川外の超高圧ポンプ設置位置に超高圧ポンプを設置して、駆動水供給管と接続し、超高圧ポンプを作動することにより特殊エジェクターを駆動して、この特殊エジェクターで、河川内の土砂等を吸引し、排砂管を通して土砂等の排出先へ排送するようにしたので、ダムの貯水池、河川などの水底に土砂等の堆積を防止することができる、という格別な効果を奏する。
（２）本発明の土砂等排出システムによれば、既述のとおり、超高圧ポンプ、特殊エジェクター、動力水供給管及び排砂管を備え、超高圧ポンプにより特殊エジェクターを駆動し、この特殊エジェクターで土砂等を吸引し、排砂管へ圧送するようにしたので、上記河川内の土砂等堆積防止方法を実現し、ダムの貯水池、河川などの水底に土砂等の堆積を防止することができる、という格別な効果を奏する。
【図面の簡単な説明】
【０００９】
【図１】本発明の一実施の形態における土砂等堆積防止方法及びこれに用いる土砂等排出システムの構成を示す正面図
【図２】同方法及びシステムの構成を示す平面図
【図３】同システムに用いる特殊エジェクターの構成を示す図
【図４】同方法及びシステムの水力発電所のダムでの適用例を示す平面図
【図５】同適用例の正面図
【図６】同適用例の側面断面図
【発明を実施するための形態】
【００１０】
次に、この発明を実施するための形態について図を用いて説明する。図１、図２にダムの貯水池、河川などの水底に土砂、礫等の堆積を防止するのに用いる河川内の土砂等堆積防止方法を示している。
図１、図２に示すように、この土砂等堆積防止方法では、河川内で土砂等を取り込もうとする土砂等取り込み地点Ｐ１に、噴射口２２、吸引口２１３、及び吐出口２３を有し、超高圧ポンプ１から送給される高圧の動力水により駆動され、土砂等を連続的に吸引、圧送する特殊エジェクター２を設置し、この特殊エジェクター２の噴射口２２に動力水を供給するための動力水供給管３を接続して、動力水供給管３を河川外の超高圧ポンプ設置位置Ｐ２まで延ばすとともに、この特殊エジェクター２の吐出口２３に土砂等を排送するための排砂管４を接続して、排砂管４を土砂等の排出先Ｐ３まで延ばしておく。そして、河川内で土砂等を取り込もうとするときに、河川外の超高圧ポンプ設置位置Ｐ２に超高圧ポンプ１を設置し、駆動水供給管３と接続して、超高圧ポンプ１を作動することにより特殊エジェクター２を駆動して、この特殊エジェクター２の吸引口２１３から土砂等を吸引し、排砂管４を通して土砂等の排出先Ｐ３へ排送する。
【００１１】
図１、図２にこの方法で用いる土砂等排出システムの構成を示している。また、図３にこのシステムの特に特殊エジェクターの構成を示している。
図１、図２に示すように、このシステムＳは、高圧の動力水を送給する超高圧ポンプ１と、噴射口２２、吸引口２１３、及び吐出口２３を有し、超高圧ポンプ１から送給される高圧の動力水により駆動され、土砂等を吸引、圧送する特殊エジェクター２と、超高圧ポンプ１と特殊エジェクター２の噴射口２２との間に接続され、超高圧ポンプ１から特殊エジェクター２に動力水を供給するための動力水供給管３と、特殊エジェクター２の吐出口２３に接続されて土砂等の排出先Ｐ３まで延ばされ、特殊エジェクター２で吸引、圧送される土砂等を排送するための排砂管４とを備えて構成される。
【００１２】
この場合、超高圧ポンプ１は、特殊エジェクター２で最大粒径１５０ｍｍ程度の石などを含む砂礫土砂を吸引、圧送するのに必要な高い圧力で大容量の動力水を特殊エジェクター２に供給可能に、ポンプ性能として１８００回転／分で揚程１．５ＭＰａ以上、流量５ｍ3／分程度の送水が可能な大型の両吸込渦巻ポンプが２台使用され、これらのポンプが並列に連結されて、揚程１．５ＭＰａ以上、流量１０ｍ3／分程度の能力を有する。この場合、両吸込渦巻ポンプの動力はモーターでもよいが、エンジンが採用され、２００〜４００ｋｗ相当のエンジンが取り付けられる。なお、エンジン式の超高圧ポンプにしたことで全体がコンパクトになる利点がある。
【００１３】
この場合、特殊エジェクター２は、図３に示すように、一端にノズル接続口２１１、他端に内管接続口２１２をそれぞれ有し、周面（この場合、上面）に吸引口２１３を有するエジェクター本体をなす外管２１と、外管２１のノズル接続口２１１に嵌め込み固定されて、高圧水（ジェット水）を発生させるため噴射口をなすノズル２２と、外管２１の内管接続口２１２に嵌め込み固定されて、高圧水を受ける吐出口をなす内管２３とからなり、この特殊エジェクター２内に最大粒径１５０ｍｍ程度の礫などを含む砂礫土砂を吸引、圧送可能に、ノズル２２の直径を６０ｍｍ以上、内管２３の直径を２００ｍｍ以上（例えば、３００ｍｍ）とし、ノズル２２から内管２３までの距離を１５０ｍｍ〜４５０ｍｍの範囲、内管２３の長さを５００ｍｍ〜２０００ｍｍの範囲とする。なお、この特殊エジェクター２は大型の超高圧ポンプ１に対応する大型のもので、自動制御された最適空気を外部から導入する点、絞りのない内管２３を用いて真空を発生させる点で通常のエジェクターと異なり、その他流体通過経路にインペラーなどの回転部を持たないシンプルな構造で、管の磨耗に強い、管の閉塞や詰まりに強い、高濃度で吸引できる、吸引部の汚濁発生がない、管理が容易などの利点がある。
また、この特殊エジェクター２の吸引口２１３には、土砂等をこの吸引口２１３に吸引案内するためのホッパー２４が併せて設けられる（図１参照）。
【００１４】
この場合、動力水供給管３は、鋼管が使用され、動力水の送給に必要な所定の直径と、超高圧ポンプ１と特殊エジェクター２との接続に必要な所定の長さを有する。この動力水供給管３は一端が超高圧ポンプ１に連結固定され、他端が特殊エジェクター２の外管２１のノズル接続口２１１に連結固定される。
【００１５】
この場合、排砂管４は、鋼管が使用され、この排砂管４内に最大粒径１５０ｍｍ程度の礫などを含む砂礫土砂を排送可能に、１本の鋼管の直径を４００ｍｍ又はそれ以上、長さを６ｍとし、複数の鋼管をそれぞれ、ゴムジョイントを介して、各鋼管のフランジをボルト止めすることにより連結して、延長を２００ｍ〜４００ｍとする。
なお、この排砂管で距離４００ｍ以上の砂礫土砂の輸送を行う場合は、排砂管に流体を挿入すればよい。この場合、流体は空気とし、空気注入装置により空気を注入する。空気注入装置は空気を供給するコンプレッサーと、コンプレッサーと排砂管との間に接続される注入管とからなり、注入管が特殊エジェクターの吐出口の先０〜２０ｍの位置で排砂管の一部に配管された空気挿入管に接続され、排砂管内に空気を供給する。空気量は１気圧換算で２０ｍ3／分以下とする。このようにすると、特殊エジェクターの内管の先０〜２０ｍの位置で排砂管の一部に配管された空気挿入管に空気注入装置により空気が供給され、排砂管内に排送される土砂に空気が混合されるので、排砂管内の土砂濃度が低くなり、排砂管内が土砂により閉塞されるのを防ぎ、所定の排出先まで確実に排送されることになる。また、この排砂管を水に浮かせて配管する必要がある場合は、鋼管１本につき２個のフロートを設置して貯水池に配管すればよい。
【００１６】
また、このシステムＳは、１セットの超高圧ポンプ１と複数台の特殊エジェクター２を構成単位とする。この場合、超高圧ポンプ１と各特殊エジェクター２の噴射口２２との間にそれぞれ各別の動力水供給管３が接続され、各特殊エジェクター２の吐出口２３にそれぞれ土砂の排出方向と逆方向の流れを阻止する逆止弁を配設された共通の１本の排砂管４が連結されるようにしてもよく、また、特に図示していないが、超高圧ポンプ１と各特殊エジェクター２の噴射口２２との間にそれぞれ各別の動力水供給管３が接続され、各特殊エジェクター３の吐出口２３にそれぞれ各別の排砂管４が接続されるようにしてもよい。
【００１７】
この土砂等排出システムＳは、かかる超高圧ポンプ１、特殊エジェクター２、動力水供給管３、及び排砂管４を備え、特殊エジェクター２の噴出口であるノズル２２に超高圧ポンプ１を接続され、吸引口２１３にホッパー２４を取り付けられ、吐出口の内管２３に排砂管４を接続されて、超高圧ポンプ１の作動により特殊エジェクター２を駆動し、土砂等取り込み地点Ｐ１に流入される土砂を、当該土砂に含まれる吸引、圧送対象とする所定の大きさまでの礫、枝葉、ごみとともに、特殊エジェクター２のホッパー２４、吸引口２１３から吸引して、特殊エジェクター２の吐出口２３、排砂管４を通して排送するようになっている。
【００１８】
図４乃至図６にこの土砂等堆積防止方法及び土砂等排出システムの水力発電所のダムでの適用例を示している。なお、この場合、土砂等取り込み地点Ｐ１を、ダムの取水口側のダム底又は放水口側の河床又はその両方とすることが好ましく、ここでは、放水口側の河床とした場合を例示する。また、この場合、土砂等の排出先Ｐ３は、河川の下流としてある。
この方法では、既述のとおり、まず、河川内で土砂等を取り込もうとする土砂等取り込み地点Ｐ１、この場合、ダムの放水口側の河床に、特殊エジェクター２を動力水供給管３、排砂管４とともに設置する。この場合、放水口側の河床にピット５を作り、このピット５（土砂等取り込み地点Ｐ１）にピット５（土砂等取り込み地点Ｐ１）の大きさに応じて複数台の特殊エジェクター２を設置し、動力水供給管３及び排砂管４を各特殊エジェクター２に接続して各特殊エジェクター２の近傍に配管設置する。ピット５は、ダムの放水口前の河床をダム側から見て奥行方向所定の範囲まで断面凹状に掘削し、その周壁及び底板を現場打ちのコンクリート又はプレキャスト製のコンクリートにより形成して構築する。そして、このピット５内に複数の特殊エジェクター２をダムの放水口の幅方向に所定の間隔で設置し、各特殊エジェクター２の噴射口２２に各別に動力水供給管３を接続して、各動力水供給管３を各特殊エジェクター２の一方の側方に配管して河川外の超高圧ポンプ設置位置Ｐ２まで延ばし、各特殊エジェクター２の吐出口２３にそれぞれ逆止弁付きの共通の１本の排砂管４を連結して（この場合、一端の特殊エジェクター２の吐出口２３に排砂管４を直結し、他の各特殊エジェクター２の各吐出口２３に排砂用の連結管４１を介して排砂管４を連結して）、この共通の排砂管４を各特殊エジェクター２の他の側方に配管して土砂等の排出先Ｐ３まで、この場合、河川の下流まで延ばす。また、各特殊エジェクター２には各吸引口２１３にホッパー２４を取り付ける。この場合、各特殊エジェクター２をピット５内にダムの放水口の幅方向に予め設定した所定の間隔で設置することで、各特殊エジェクター２の吸引口２１３上で各ホッパー２４を相互に隣接して配置する。
また、このピット５には、流木や巨礫などの異物がピット５内に入り込まないようにするため、ピット５の開口縁部全周に洪水時の河川の水面よりも高くスクリーン６を設置する。この場合、スクリーン６を複数のＨ鋼により構成し、Ｈ鋼をそれぞれピット５の縁部に鉛直に立てて固定し、ピット５の縁部に沿って配列する。各Ｈ鋼の間隔は特殊エジェクター２による吸引圧送が困難な流木や巨礫のピットへの流入を阻止できる程度であればよく、ここでは２００ｍｍ程度とする。
このようにして、河川内で土砂等を取り込もうとするとき、この場合、河川の洪水時前に、予め、河川外の超高圧ポンプ設置位置Ｐ２に超高圧ポンプ１を設置し、駆動水供給管３と接続しておき、洪水時に、超高圧ポンプ１を作動することにより各特殊エジェクター２を駆動して、ダムの放水口側の河床で各特殊エジェクター２の吸引口２１３から、ダムの放水口前の河川流域に流れ込む土砂等を連続的に吸引し、排砂管４を通して土砂等の排出先Ｐ３の河川の下流へ排送する。
【００１９】
この土砂等排出システムＳでは、超高圧ポンプ１が作動されると、この超高圧ポンプ１から河川の水を用いた高圧の大容量の動力水が各特殊エジェクター２に送給され、この動力水が各特殊エジェクター２のノズル２２で絞られて秒速５０ｍを超える流速で各特殊エジェクター２の内部に内管２３に向けて噴射され、これによって各特殊エジェクター２の内部に高い負圧が発生し、各特殊エジェクター２の吸引口２１３に各特殊エジェクター２の外部から内部に向けて真空吸引力が働く。この真空吸引力により、ダムの放水口前の河川流域に流れ込む土砂等、すなわち従来、河床に堆積される土砂等が各特殊エジェクター２のホッパー２４、吸引口２１３を通して、各特殊エジェクター２内部に連続的に吸引され、内管２３を通じて排砂管４へ圧送されて、土砂等の排出先Ｐ３である河川の下流へ還元される。
また、この土砂等の吸引、圧送では、超高圧ポンプ１による高い圧力と大容量の動力水の送給能力と、これに対応可能な大口径の内管２３を有する大型の特殊エジェクター２とにより、特殊エジェクター２は粒径１５０ｍｍ程度の石を吸引、圧送することができるので、吸引口２１３から吸引される土砂の中に粒径１５０程度の大きさの石が含まれていても、この石は土砂とともに、特殊エジェクター２内部に吸引され、内管２３を通して排砂管４へ圧送されて、河川の下流へ排送される。
【００２０】
以上説明したように、この土砂等堆積防止方法によれば、ダムの貯水池、河川など河川内で土砂等を取り込もうとする土砂等取り込み地点Ｐ１に、特殊エジェクター２を設置し、特殊エジェクター２の噴射口２２に動力水供給管３を接続するとともに、特殊エジェクター２の吐出口２３に排砂管４を接続しておき、河川内で土砂等を取り込もうとするときに、河川外の超高圧ポンプ設置位置Ｐ２に超高圧ポンプ１を設置して、駆動水供給管３と接続し、超高圧ポンプ１を作動することにより特殊エジェクター２を駆動し、この特殊エジェクター２で、河川内の土砂等を吸引して、排砂管４を通して土砂等の排出先Ｐ３へ排送するようにしたので、ダムの貯水池、河川などの水底に土砂等の堆積を確実に防止することができる。
【００２１】
また、この土砂等排出システムによれば、既述のとおり、超高圧ポンプ１、特殊エジェクター２、動力水供給管３及び排砂管４を備え、超高圧ポンプ１により特殊エジェクター２を駆動し、この特殊エジェクター２で土砂等を吸引し、排砂管４へ圧送するようにしたので、上記の土砂等堆積防止方法を実現して、ダムの貯水池、河川などの水底に土砂等の堆積を確実に防止することができる。
【００２２】
また、この方法及びシステムでは、洪水後にダム底や河床などの水底に溜まった土砂等を掘削（浚渫）する必要がないので、従来のような大掛かりな浚渫工事及びこれに伴うコストの増大を回避することができる。
さらに、この方法及びシステムでは、河川内で土砂等を取り込む必要があるときに、河川外の超高圧ポンプ設置位置Ｐ２に超高圧ポンプ１を設置して、駆動水供給管３と接続し、このポンプ１を作動すればよいので、例えば水中ポンプなどを常時固定設備として設置するような場合と異なり、全体としてコストの大幅な低減を図ることができる。
またさらに、この方法及びシステムでは、内管２３の直径と容量の大きな大型の特殊エジェクター２を用いているので、この特殊エジェクター２で、礫などを吸引しても、内管２３がこの礫などで閉塞されることがなく、土砂とともに土砂等の排出先Ｐ３へ確実に排送することができる。
【００２３】
なお、この方法及びシステムの上記ダムでの適用例では、土砂等取り込み地点Ｐ１を、ダムの放水口側の河床として例示したが、この方法及びシステムは、土砂等取り込み地点Ｐ１を、ダムの取水口側のダム底としても、また、ダムの取水口側のダム底及び放水口側の河床の両方としても、上記と同様に適用でき、上記と同様の作用効果を得ることができることは勿論である。
また、この方法及びシステムの上記ダムでの適用例では、土砂等の排出先Ｐ３を河川の下流として例示したが、予め決められた土捨場などであってもよい。
【符号の説明】
【００２４】
Ｐ１  土砂等取り込み地点
Ｐ２  超高圧ポンプ設置位置
Ｐ３  土砂等の排出先
Ｓ  土砂等排出システム
１  超高圧ポンプ
２  特殊エジェクター
２１１  ノズル接続口
２１２  内管接続口
２１３  吸引口
２１  外管
２２  ノズル（噴射口）
２３  内管（吐出口）
２４  ホッパー
３  動力水供給管
４  排砂管
４１  排砂用の連結管
５  ピット
６  スクリーン
【図２】
2014148790.tif 000003
【図３】
2014148790.tif 000004
【図５】
2014148790.tif 000005
【図６】
2014148790.tif 000006
【図１】
2014148790.tif 000007
【図４】
2014148790.tif 000008